(57)【要約】【課題】撮影レンズへ被写体人物の視線を導きつつ、該人物へレリーズタイミングを知らせること。【解決手段】デジタルカメラは、撮影レンズ１が設けられるカメラ本体２と、カメラ本体２に取り付けられ、情報を表示する可動式の表示モニタ５と、表示モニタ５の表示面を撮影レンズ１側に向けた状態で撮影指示を受けた場合に、表示モニタ５の主要画像１０が表示面上を撮影レンズ１側へ移動するように表示モニタ５の表示を制御する表示制御手段と、を備える。【選択図】図８
2013131906.tif 000002
【特許請求の範囲】
【請求項１】
撮影レンズが設けられるカメラ本体と、
前記カメラ本体に取り付けられ、情報を表示する可動式の表示モニタと、
前記表示モニタの表示面を前記撮影レンズ側に向けた状態で撮影指示を受けた場合に、前記表示モニタの主要画像が前記表示面上を前記撮影レンズ側へ移動するように前記表示モニタの表示を制御する表示制御手段と、を備えることを特徴とするデジタルカメラ。
【請求項２】
請求項１に記載のデジタルカメラにおいて、
前記被写体が人物である場合、
前記表示制御手段は、前記被写体人物の視線を惹きつけるように前記表示モニタの表示を制御することを特徴とするデジタルカメラ。
【請求項３】
請求項２に記載のデジタルカメラにおいて、
前記表示制御手段は、前記表示モニタの前記表示面上を前記撮影レンズ側へ移動する主要画像をグラデーションで表現することを特徴とするデジタルカメラ。
【請求項４】
請求項２または３に記載のデジタルカメラにおいて、
前記表示制御手段は、前記表示モニタの前記表示面上を移動する前記主要画像が前記撮影レンズ側へ近づくほど該主要画像を大きく表示するように前記表示モニタの表示を制御することを特徴とするデジタルカメラ。
【請求項５】
請求項２〜４のいずれか一項に記載のデジタルカメラにおいて、
前記表示制御手段は、前記表示モニタの前記表示面上を移動する前記主要画像が前記撮影レンズ側へ近づくほど該主要画像の濃度を高く表示するように前記表示モニタの表示を制御することを特徴とするデジタルカメラ。
【請求項６】
請求項２〜５のいずれか一項に記載のデジタルカメラにおいて、
セルフタイマー撮影モードを備え、
前記表示制御手段は、前記表示モニタの表示面を前記撮影レンズ側に向けた状態で前記セルフタイマー撮影する場合、セルフタイマー計時動作に連動して前記表示モニタの表示を制御することを特徴とするデジタルカメラ。
【請求項７】
請求項２〜６のいずれか一項に記載のデジタルカメラにおいて、
リモコン撮影モードを備え、
前記表示制御手段は、前記表示モニタの表示面を前記撮影レンズ側に向けた状態で前記リモコン撮影する場合、前記表示モニタの表示を制御することを特徴とするデジタルカメラ。
【発明の詳細な説明】
【技術分野】
【０００１】
本発明は、可動式の表示モニタユニットを有するデジタルカメラに関する。
【背景技術】
【０００２】
可動式の表示モニタユニットを有するデジタルカメラにおいて、表示モニタの画面を被写体側に向け、その画面上に数字をカウントダウン表示することで、被写体人物にレリーズタイミングを知らせる技術が知られている（特許文献１参照）。
【先行技術文献】
【特許文献】
【０００３】
【特許文献１】特開２００６−１０１４６６号公報
【発明の概要】
【発明が解決しようとする課題】
【０００４】
従来技術では、被写体人物がカウントダウン表示を注目してしまい、人物の視線が撮影レンズから外れた状態を撮影してしまうという問題があった。
【課題を解決するための手段】
【０００５】
本発明によるデジタルカメラは、撮影レンズが設けられるカメラ本体と、カメラ本体に取り付けられ、情報を表示する可動式の表示モニタと、表示モニタの表示面を撮影レンズ側に向けた状態で撮影指示を受けた場合に、表示モニタの主要画像が表示面上を撮影レンズ側へ移動するように表示モニタの表示を制御する表示制御手段と、を備えることを特徴とする。
【発明の効果】
【０００６】
本発明によるデジタルカメラでは、撮影レンズへ被写体の視線を導きつつ、レリーズタイミングを知らせることができる。
【図面の簡単な説明】
【０００７】
【図１】本発明の一実施の形態によるデジタルカメラの正面図である。
【図２】図１のデジタルカメラの背面図である。
【図３】表示モニタをカメラボディの正面側に回転させた状態を例示する図である。
【図４】デジタルカメラの要部構成を例示するブロック図である。
【図５】セルフタイマー撮影場面を例示する図である。
【図６】マークの表示位置を表示モニタの左側へ移動させる図である。
【図７】マークの表示位置を表示モニタの左側へ移動させる図である。
【図８】マークの表示位置を表示モニタの左端まで移動させた図である。
【図９】アイコンの表示位置を表示モニタの左側へ移動させる図である。
【図１０】アイコンの表示位置を表示モニタの左側へ移動させる図である。
【図１１】変形例３のグラデーション表示を例示する図である。
【図１２】変形例３のグラデーション表示を例示する図である。
【発明を実施するための形態】
【０００８】
以下、図面を参照して本発明を実施するための形態について説明する。図１は、本発明の一実施の形態によるデジタルカメラの正面図である。図１において、デジタルカメラはカメラボディ２の正面に撮影レンズ１およびフラッシュ発光窓４が設けられている。また、カメラボディ２の上面にレリーズボタン３が設けられている。
【０００９】
図２は、図１のデジタルカメラの背面図である。図２において、カメラボディ２の背面に表示モニタ５が設けられている。表示モニタ５は、２軸回転ヒンジを介してカメラボディ２から回動可能に支持される。表示モニタ５の表示面がカメラボディ２の背面を占めるように表示モニタ５を折りたたんだ図２の状態では、撮影レンズ１を通して撮像された画像を表示モニタ５に再生表示させることにより、撮影者がモニタ用の画像を背面側に位置する表示モニタ５上で観察できる。
【００１０】
図３は、表示モニタ５をカメラボディ２から起こして表示面の向きを撮影方向（すなわちカメラボディ２の正面側）に回転させた状態を例示する図である。図３の状態では、被写体人物に向けた情報を表示モニタ５に表示させることにより、例えば、被写体人物に対してモニタ用画像や、撮影タイミングの情報を提供できる。
【００１１】
本実施形態は、図３に例示した状態のデジタルカメラで人物を撮影する際に、被写体人物に向けた撮影タイミングを示す情報を表示モニタ５に表示させる点に特徴を有するので、以下の説明はこの点を中心に行う。
【００１２】
図４は、上記デジタルカメラの要部構成を例示するブロック図である。図４において、デジタルカメラは、制御部２１と、レリーズスイッチ２２と、リモコン受信部２３と、表示制御部２４と、表示モニタ５と、記憶部２５とを含む。
【００１３】
＜セルフタイマー撮影＞
制御部２１は、記憶部２５に記録されているプログラムに基づいて、デジタルカメラのセルフタイマー撮影動作を制御する。制御部２１は、セルフタイマー撮影を行う設定がなされている場合において、レリーズボタン３の押下げ操作に連動してオンするレリーズスイッチ２２からオン信号が入力されると、制御部２１内に設けられているタイマー起動部２１ａにセルフタイマー計時（カウントダウン）を開始させる。
【００１４】
制御部２１は、タイマー起動部２１ａがカウントダウンを終了すると、図示しない撮像ユニットに撮影開始を指示する。制御部２１はさらに、表示制御部２４に指示を送り、タイマー起動部２１ａによるカウントダウン中に以下のように撮影タイミングを知らせる表示を表示モニタ５に行わせる。
【００１５】
図５は、セルフタイマー撮影場面を例示する図である。図５の例では、図３の状態のデジタルカメラを三脚にセットして被写体人物Ａ，Ｂ，Ｃを撮影する。表示制御部２４は、タイマー起動部２１ａによる計時の開始時に表示モニタ５の右端にマーク１０の点滅表示を開始させる。点滅するマーク１０は、被写体人物Ａ，Ｂ，Ｃの視線を惹きつける。表示制御部２４は、タイマー起動部２１ａによる計時の進行とともにマーク１０の表示位置を表示モニタ５の左側へ向けて徐々に移動させる（図６および図７）。
【００１６】
図６および図７に例示するようにマーク１０が表示モニタ５の画面の左側（すなわち撮影レンズ１側）へ徐々に移動するので、被写体人物Ａ，Ｂ，Ｃの視線は撮影レンズ１の方向へ誘導される。タイマー起動部２１ａによるカウントダウンの終了に合わせて、表示制御部２４が移動表示するマーク１０が表示モニタ５の画面の左端へ達する（図８）ように構成されている。よって、マーク１０が画面の左端へ移動終了すると、制御部２１が撮像ユニット（不図示）に撮影を開始させる。
【００１７】
マーク１０の表示位置の移動によって被写体人物Ａ，Ｂ，Ｃの視線を誘導しているので、人物Ａ，Ｂ，Ｃの視線は撮影レンズ１の近くを向いている。このため、表示モニタ５の画面の同じ位置（例えば右端）にマーク１０を表示し続ける場合に比べて、人物Ａ，Ｂ，Ｃの視線を撮影レンズ１の近傍へ惹きつけて撮影を行える。また、カウントダウン表示を兼ねるマーク１０の表示位置によってレリーズタイミングを人物Ａ，Ｂ，Ｃに伝える。
【００１８】
＜リモコン撮影＞
制御部２１は、記憶部２５に記録されているプログラムに基づいて、デジタルカメラのリモコン撮影動作を制御する。制御部２１は、リモコン撮影を行う設定がなされている場合において、リモコン受信部２３から撮影指示信号が入力されると所定時間後に撮影を行うように構成されている。この所定時間は、リモコン送信機が写らないようにリモコン操作者がリモコン送信機を隠すために設けられている。したがって、制御部２１は、セルフタイマー撮影の場合と同様に、表示制御部２４に指示を送り、表示モニタ５に以下のように撮影タイミングを知らせる表示を行わせる。なお、リモコン受信部２３は、図示しないリモコン送信機から送信されたリモコン信号を受信すると、制御部２１へ上記撮影指示信号を伝えるように構成されている。
【００１９】
リモコン撮影する場面は図５の場合と同様に表される。図３の状態のデジタルカメラを三脚にセットして被写体人物Ａ，Ｂ，Ｃを撮影する。例えば、人物Ａ，Ｂ，Ｃのいずれかがリモコン送信機（不図示）をデジタルカメラに向けて操作する。表示制御部２４は、制御部２１から指示を受けると表示モニタ５の右端にマーク１０の点滅表示を開始させる。点滅表示するマーク１０は、被写体人物Ａ，Ｂ，Ｃの視線を惹きつける。表示制御部２４は、マーク１０の表示位置を表示モニタ５の左側へ向けて徐々に移動させる（図６および図７）。
【００２０】
図６および図７に例示するようにマーク１０の表示位置が表示モニタ５の画面の左側（すなわち撮影レンズ１側）へ移動するので、被写体人物Ａ，Ｂ，Ｃの視線は撮影レンズ１の方向へ誘導される。表示制御部２４がマーク１０を表示モニタ５の画面の左端まで移動させると（図８）、制御部２１が撮像ユニット（不図示）に撮影を開始させる。
【００２１】
一般に、リモコン送信機（不図示）を操作しない人物にとっては、リモコン操作がいつ行われるのか撮影タイミングがわからないところ、撮影前に表示モニタ５にマーク１０が表示されることで、リモコン操作されたことがわかる。また、このマーク１０によって人物Ａ，Ｂ，Ｃの視線を惹きつけた撮影を行える。さらに、カウントダウン表示を兼ねるマーク１０の表示位置によってレリーズタイミングがわかる。
【００２２】
以上説明した実施形態によれば、次の作用効果が得られる。
（１）デジタルカメラは、撮影レンズ１が設けられるカメラボディ２と、カメラボディ２に取り付けられ、情報を表示する可動式の表示モニタ５と、表示モニタ５の表示面を撮影レンズ１側に向けた状態で撮影指示を受けた場合に、表示モニタ５のマーク１０が表示面上を撮影レンズ１側へ移動するように表示モニタ５の表示を制御する表示制御部２４と、を備えるようにしたので、撮影レンズ１へ被写体人物の視線を導きつつ、該人物へレリーズタイミングを知らせることができる。
【００２３】
（２）上記（１）のデジタルカメラにおいて、被写体が人物Ａ，Ｂ，Ｃである場合、表示制御部２４は、被写体人物Ａ，Ｂ，Ｃの視線を惹きつけるように表示モニタ５のマーク１０を点滅表示させた。点滅表示によってマーク１０への注目度を高めることができる。
【００２４】
（３）上記デジタルカメラにおいて、セルフタイマー撮影モードを備え、表示制御部２４は、表示モニタ５の表示面を撮影レンズ１側に向けた状態でセルフタイマー撮影する場合、セルフタイマー計時動作に連動して表示モニタ５のマーク１０の表示を制御するので、撮影レンズ１へ被写体人物Ａ，Ｂ，Ｃの視線を導きつつ、上記マーク１０の表示位置によってセルフタイマー撮影時のレリーズタイミングを人物Ａ，Ｂ，Ｃに伝えることができる。
【００２５】
（４）上記デジタルカメラにおいて、リモコン撮影モードを備え、表示制御部２４は、表示モニタ５の表示面を撮影レンズ１側に向けた状態でリモコン撮影する場合、表示モニタ５のマーク１０の表示を制御するようにしたので、撮影レンズ１へ被写体人物Ａ，Ｂ，Ｃの視線を導きつつ、上記マーク１０の表示位置によってリモコン撮影時のレリーズタイミングを人物Ａ，Ｂ，Ｃに伝えることができる。
【００２６】
（変形例１）
上述した説明では、撮影タイミングを知らせる表示として、表示モニタ５にマーク１０を点滅表示させる例を説明した。この代わりに、図９および図１０に例示するアイコン１０Ａを表示させてもよい。変形例１の表示制御部２４は、当初表示モニタ５の右端に表示したアイコン１０Ａの表示位置を、時間経過とともに左側（撮影レンズ１側）へ移動させる。なお、アイコン１０Ａの代わりに文字や記号などの主要画像を表示させるようにしてもよい。
【００２７】
変形例１のように、アイコン１０Ａや文字、または記号を表示させるようにしても、撮影レンズ１へ被写体人物Ａ，Ｂ，Ｃの視線を導きつつ、レリーズタイミングを知らせることができる。
【００２８】
（変形例２）
表示モニタ５の画面上で表示位置を移動するアイコン１０Ａの表示の大きさを、時間経過とともに徐々に大きく変化させてもよい。変形例２の表示制御部２４は、画面の左側（撮影レンズ１側）へ表示するアイコン１０Ａほど、その大きさを大きく目立つように表示することにより、人物Ａ，Ｂ，Ｃの視線をさらに惹きつける（図１０）。
【００２９】
変形例２のように、アイコン１０Ａの表示の大きさをレリーズタイミングに近づくにつれて大きくするように変化させても、撮影レンズ１へ被写体人物Ａ，Ｂ，Ｃの視線を導きつつ、レリーズタイミングを知らせることができる。なお、アイコン１０Ａ等の大きさを大きく変化させる他にも、明るさおよび色の濃度の少なくとも一方を高く変えるようにしてもよい。
【００３０】
（変形例３）
表示モニタ５の画面上で主要画像としてマーク１０やアイコン１０Ａ等の表示位置を移動させる代わりに、時間経過とともに変化するグラデーション表示をさせてもよい（図１１、図１２）。変形例３の表示制御部２４は、当初表示モニタ５の右端に表示したグラデーション１０Ｂの一部（本例では淡色の矩形）を、時間経過とともに左側（撮影レンズ１側）へ大きく伸ばして表示する。グラデーション表示の濃度は、時間経過とともに徐々に濃く変化させる。また、矩形の濃度変化に加えて、矩形の表示サイズが大きくなるように変化させる。
【００３１】
変形例３のように、画面の左側（撮影レンズ１側）に近い領域ほどグラデーション表示の濃度を濃く、かつ矩形サイズを大きく目立つように表示させると、撮影レンズ１へ被写体人物Ａ，Ｂ，Ｃの視線を導きつつ、レリーズタイミングも知らせることができる。なお、明るさ（濃度）を変化させる他に、色相を変化させてもよい。例えば、画面の左側（撮影レンズ１側）に近い領域ほど目立つ色で表示する。
【００３２】
（変形例４）
撮影レンズ１を通して撮像された画像に基づいて被写体人物Ａ，Ｂ，Ｃの顔を検出し、人物Ａ，Ｂ，Ｃの視線が撮影レンズ１の方へ向いたか否かを検出するようにしてもよい。変形例４の制御部２１は、上記実施形態または変形例１〜変形例３のいずれかによって撮影タイミングを知らせる表示を行った後で、顔検出部２１ｂで検出した「顔」に含まれる瞳領域に基づいて、視線方向を判定する。
【００３３】
制御部２１は、視線方向の判定結果に応じて所定の処理を行う。例えば、人物Ａ，Ｂ，Ｃが撮影レンズ１の方向を見ていると判定した場合の制御部２１は、撮像ユニット（不図示）に撮影を開始させる。一方、人物Ａ，Ｂ，Ｃが撮影レンズ１の方向を見ていると判定しなかった場合の制御部２１は、撮影を開始させずにアラーム音でその旨を知らせたり、そのまま撮影を開始するものの、人物の視線が撮影レンズ１から外れているおそれがある旨を知らせたりする。
【００３４】
以上の説明はあくまで一例であり、上記の実施形態の構成に何ら限定されるものではない。上記実施形態および変形例は、適宜組み合わせてもよい。
【符号の説明】
【００３５】
１…撮影レンズ
２…カメラボディ
５…表示モニタ
１０…マーク
１０Ａ…アイコン
１０Ｂ…グラデーション
２１…制御部
２１ａ…タイマー起動部
２１ｂ…顔検出部
２２…レリーズスイッチ
２３…リモコン受信部
２４…表示制御部
２５…記憶部
【図１】
2013131906.tif 000003
【図２】
2013131906.tif 000004
【図３】
2013131906.tif 000005
【図４】
2013131906.tif 000006
【図５】
2013131906.tif 000007
【図６】
2013131906.tif 000008
【図７】
2013131906.tif 000009
【図８】
2013131906.tif 000010
【図９】
2013131906.tif 000011
【図１０】
2013131906.tif 000012
【図１１】
2013131906.tif 000013
【図１２】
2013131906.tif 000014